(57)【要約】      （修正有）【課題】容易に洗浄ができるバルクコンテナ用脚部材を提供する。【解決手段】脚部材１０はバルクコンテナを支持するように適合されたリブ１４、１６の格子を有する細長い下部構造１２を含む。リブ１４、１６は互いに平行になっているか、または交差している。各リブ１４、１６は、使用時にバルクコンテナの基部に接触するように適合された上部、上部よりも広い底部、及び上部と底部を接合する一対のテーパー状側部を備えた断面を有する。【選択図】図１
0003227846.tif 000002
【実用新案登録請求の範囲】
【請求項１】
バルクコンテナ用の脚部材であって、
前記バルクコンテナを支持するように適合されたリブの格子を有する細長い下部構造を含み、
前記リブは互いに平行になっているか、または互いに交差しており、各リブが使用時に前記バルクコンテナの基部と接触するように適合した上部、前記上部より幅が広くなっている底部、及び前記上部と前記底部とを接合する一対のテーパー状側部を備える断面を有している、バルクコンテナ用脚部材。
【請求項２】
前記バルクコンテナの基部に取り外し可能に装着可能である、請求項１に記載のバルクコンテナ用脚部材。
【請求項３】
前記テーパー状側部のそれぞれが、各リブの前記底部に向かって湾曲して広がっている、請求項１または２に記載のバルクコンテナ用脚部材。
【請求項４】
前記底部がくぼみを含む、請求項１から３のいずれか１項に記載のバルクコンテナ用脚部材。
【請求項５】
前記くぼみが各リブの長さに沿って延びる深溝の形態である、請求項４に記載のバルクコンテナ用脚部材。
【請求項６】
前記リブが十字形パターンで延びる、請求項１から５のいずれか１項に記載のバルクコンテナ用脚部材。
【請求項７】
前記細長い下部構造が、その下側に位置したビームラッキング用の一対の間隔を空けた凹部を含む、請求項１から６のいずれか１項に記載のバルクコンテナ用脚部材。
【請求項８】
各凹部が前記細長い下部構造の一方の端部の付近に配置されている、請求項７に記載のバルクコンテナ用脚部材。
【請求項９】
前記細長い下部構造が１つ以上の補強部分を含み、前記１つ以上の補強部分のそれぞれが、前記リブと交差する１つ以上の追加のリブを有する、請求項１から８のいずれか１項に記載のバルクコンテナ用脚部材。
【請求項１０】
前記補強部分がそれぞれの凹部に対応するように適合されている、請求項９に記載のバルクコンテナ用脚部材。
【請求項１１】
前記補強部分が前記凹部の真上に位置する、請求項９または１０のいずれか１項に記載のバルクコンテナ用脚部材。
【請求項１２】
前記細長い下部構造が対向する第１及び第２の側壁を含み、前記平行リブのそれぞれが前記第１の側壁に接合された一方の端部、及び前記第２の側壁に接合された他方の端部を有する、請求項１から１１のいずれか１項に記載のバルクコンテナ用脚部材。
【請求項１３】
前記第１の側壁が丸みを帯びた曲げ部及び丸い縁部を有する段差を有する輪郭を含む、請求項１２に記載のバルクコンテナ用脚部材。
【請求項１４】
前記段差が前記細長い下部構造の内側に位置する第１のレッジを形成する、請求項１３に記載のバルクコンテナ用脚部材。
【請求項１５】
前記第２の側壁が丸みを帯びた屈曲部を備える下端を含む、請求項１２〜１４に記載のバルクコンテナ用脚部材。
【請求項１６】
前記丸みを帯びた屈曲部が前記細長い下部構造の内側に位置する第２のレッジを提供する、請求項１５に記載のバルクコンテナ用脚部材。
【請求項１７】
前記細長い下部構造の周囲に沿って延びるリムを含む、先行請求項のいずれか１項に記載のバルクコンテナ用脚部材。
【請求項１８】
前記リムから延びる実質的に垂直な壁を含み、前記壁が前記細長い下部構造の周囲に沿って、その周りに延びる、請求項１７に記載のバルクコンテナ用脚部材。
【請求項１９】
前記壁が複数の別個の要素で構成され、各要素が使用時に、前記バルクコンテナの基部の一部を形成する下方に垂れ下がったスカートの対応する部材に当接するように適合されている、請求項１８に記載のバルクコンテナ用脚部材。
【請求項２０】
各要素が１つ以上の細い溝を備えた実質的に平坦なパネルを含む、請求項１９に記載のバルクコンテナ用脚部材。
【請求項２１】
前記リムが複数の溝を含み、各溝が前記細い溝の1つに対応して連通している、請求項２０に記載のバルクコンテナ用脚部材。
【請求項２２】
各溝が下方に傾斜して、前記溝内に受け入れた流体の排出を促進するようになっている、請求項２１に記載のバルクコンテナ用脚部材。
【請求項２３】
バルクコンテナ用の脚部材であって、
前記バルクコンテナを支持するように適合されたリブの格子であって、リブが互いに平行になっているか、または交差している前記リブの格子と、
その下側に位置する一対の間隔を空けた凹部と
を有する細長い下部構造を含む、バルクコンテナ用脚部材。
【請求項２４】
バルクコンテナ用の脚部材であって、
前記バルクコンテナを支持するように適合されたリブの格子であって、前記リブが互いに平行になっているか、または交差している前記リブの格子と、
1つ以上の補強セクションであって、それぞれがリブと交差する1つ以上の追加のリブを有する補強セクションと
を有する細長い構造を含む、バルクコンテナ用脚部材。
【請求項２５】
バルクコンテナ用の脚部材であって、
前記バルクコンテナを支持するように適合されたリブの格子であって、前記リブが互いに平行になっているか、または交差している前記リブの格子と、
対向する第１及び第２の側壁であって、前記平行なリブのそれぞれが前記第１の側壁に接合された一方の端部、及び前記第２の側壁に接合された他方の端部を有する対向する第１及び第２の側壁と、
を有する細長い下部構造を含み、
対向する第１及び第２の側壁のそれぞれが、丸みを帯びた曲げ部または屈曲部を有する輪郭を有するバルクコンテナ用脚部材。
【請求項２６】
バルクコンテナ用の脚部材であって
前記バルクコンテナを支持するように適合されたリブの格子を有する細長い下部構造であって、前記リブが互いに平行になっている、前記細長い下部構造と、
前記細長い下部構造の周囲に沿って延びるリムと、
前記リムから延びる実質的に垂直な壁であって、前記壁は前記細長い下部構造の周囲に沿って、その周りに延在しており、前記壁は複数の別個の要素で構成され、各要素が１つ以上の細い溝を備えた実質的に平坦なパネルを含む、前記壁と
を含み、
前記リムは複数の溝を含み、各溝が細い溝の１つに対応し、連通している、バルクコンテナ用脚部材。
【考案の詳細な説明】
【技術分野】
【０００１】
本考案は、バルクコンテナの基部に取り付ける脚部材に関する。
【背景技術】
【０００２】
バルク容器としても一般に知られている従来のバルクコンテナは、果物などを輸送するためによく使用される。こうしたバルクコンテナはそれぞれ、通常、基部、４つの壁部およびフォークリフトの歯が基部の下に入って、バルクコンテナを持ち上げて移動できるように、地面から基部の大部分を持ち上げるように適合された脚部から構成される。上記の脚部は、角脚であってよく、基部のそれぞれの角に位置付けられるが、より多くの場合においては、負荷を分散するように容器の長さに沿って長手方向に延びる細長い脚部となっている。
【０００３】
成形された容器が、基部の一部を一体に成形する脚部を持つ場合は少なく、別々に成形された脚部が、圧力嵌合されて基部に取り付けられるのが、ずっと一般的である。というのも、使用の際、脚部がフォークリフトによって損傷を受けた場合および受けたとき、基部または容器全体よりも損傷を受けた脚部だけを取り外して交換する方が簡単で、安いからである。
【０００４】
市販の上述の取り外し可能な脚部は、一般に「脚底」とみなすことができる平坦な底面を有する。特に容器が滑るか、地面を引きずられる場合、脚部の垂直リブを保護するような脚底が提供される。脚底はまた、補強及び容器が柔らかい地面または泥に沈まないようにする目的を果たす。こうした脚底を有する脚部が、バルク容器の基部に嵌合されると、箱形中空が脚部の垂直リブによって補強されて作製されるのが理解されよう。垂直リブは、バルク容器の対応する基部を支持するように機能する。しかし、脚部には、脚部によって作製された箱形中空が基部に取り付けられると、ほとんどの水を中に入れないが、密閉はされないという、欠点がある。したがって、洗浄中、バルク容器が水の中に漬けられる場合、脚部と基部の隣接する面の間に水または洗浄液が入り込み、水が保持され、したがって、衛生上の懸念をもたらす。さらに、脚部の壁の任意の部分が、フォークリフトの歯でひび割れるか、破損した場合にも、水を保持する事態が起こる可能性があり、それにより水や洗浄液を洗浄工程中に脚部の中空に入れるようになる。その欠点を克服するため、最新式の脚部の「脚底」は、脚部の中空に入った水や液体が流出を排出できる排水孔を有している。
【０００５】
しかし、「脚底」および排水孔の存在は、新しい問題を生じる。衛生上の理由で、バルク容器は、使用後定期的に洗浄することが必要である。一部の産業では、洗浄の基準が高く、脚部を基本的に取り外す必要があり、完全に洗ってから、容器の基部に付けな直している。もちろん、これは時間がかかり、労働集約的な作業であり、経費の増大をもたらす。
【０００６】
上記の欠点および問題を克服できるか、少なくとも改良できるバルクコンテナ用の脚部材を提供すること、あるいは、少なくとも有用な代替を提供することが、本考案の目的である。
【考案の概要】
【０００７】
本考案の一態様によれば、バルクコンテナ用の脚部材が提供され、脚部材は、バルクコンテナを支持するように適合されたリブのグリッドを有する細長い下部構造を含み、リブは、互いに平行かまたは交差し、各リブは、使用の際、上部がバルクコンテナの基部に接触するように適合された断面を有し、底部は上部より広く、一対のテーパ状の側面部が上部と底部を接合する。
【０００８】
好ましくは、脚部材は、バルクコンテナの基部に取り外し可能に取り付けられる。
【０００９】
好ましくは、テーパ状の側面部はそれぞれ、各リブの底部に向かって湾曲して広がる。
【００１０】
好ましくは、底部は、くぼみを含む。より好ましくは、くぼみは、各リブの長さに沿って延びる堀形状である。
【００１１】
好ましくは、リブは、十字パターンで延びる。
【００１２】
好ましくは、細長い下部構造は、ビームラック用にその下側に位置する一対の間隔を空けたくぼみを含む。より好ましくは、各くぼみは、細長い下部構造の一端近くに位置する。
【００１３】
有利なことに、細長い下部構造は、それぞれがリブと交差する１つまたは複数の余分なリブを含む、１つまたは複数の補強部を含む。好ましくは、補強部は、それぞれのくぼみに対応するように適合される。より好ましくは、補強部は、くぼみの上に直接位置する。
【００１４】
好ましい実施形態では、細長い下部構造は、第１および第２の対向する側壁を含み、各平行リブは、第１の側壁に接合された一方の端および 第２の側壁に接合された別の端を有する。好ましくは、第１の側壁は、円弧状の曲げおよび丸み付き縁部を備えるステップを有する外形を含む。より好ましくは、ステップは、細長い下部構造の内部に位置する第１の棚を形成する。
【００１５】
好ましくは、第２の側壁は、円弧状返しを備える底端を含む。より好ましくは、円弧状返しは、細長い下部構造の内部に位置する第２の棚を提供する。
【００１６】
好ましくは、脚部材は、細長い下部構造の周囲に沿って延びるリムを含む。より好ましくは、脚部材は、リムから生じる実質的に垂直な壁を含み、壁は、細長い下部構造の周囲に沿って、その周りを延びる。より好ましくは、壁は、それぞれが、使用の際、バルクコンテナの基部の一部を形成する下方に垂下するスカートの対応する部材に当接するように適合される複数の個別要素からなる。さらに、より好ましくは、各要素は、１つまたは複数のすじを有する実質的に平坦なパネルを含む。
【００１７】
リムが複数の溝部を含むことが好ましく、各溝部は、縦溝部のうちの１つに対応し、これと連通している。好ましくは、各溝部は、溝部中に受容されるいかなる流体も排水することを促進するために、下方向に傾斜している。
【００１８】
本考案の別の態様に従い、バルクコンテナについての脚部材が提供され、この脚部材は、バルクコンテナを支持するように適合されるリブのグリッドであって、リブが互いに平行であるか、または交差している、このグリッド、およびそれらの下側に位置している１組の離隔された凹部、を備える、細長い下部構造を有する。
【００１９】
本考案のさらなる態様に従い、バルクコンテナのための脚部材が提供され、この脚部材は、バルクコンテナを支持するように適合されるリブのグリッドであって、これらのリブが互いに平行である、または交差している、このグリッド、および１つ以上の補強部であって、各補強部がこれらのリブと交差する１つ以上の追加のリブを含む、これらの１つ以上の補強部、を備える、細長い構造を有する。
【００２０】
本考案のさらなる態様に従い、バルクコンテナのための脚部材が提供され、この脚部材は、バルクコンテナを支持するように適合されるリブのグリッドであって、これらのリブが互いに平行であるか、または交差している、このグリッド、ならびに第一および第二対向側壁部であって、平行なリブのそれぞれが第一側壁部に接合される１つの端部、および第二側壁部に接合されるもう１つの端部を含む、これらの第一および第二対向側壁部、を備え、第一および第二対向側壁部のそれぞれは、Ｒを設けた曲げ部または返し部を含む輪郭を有する、細長い下部構造を有する。
【００２１】
本考案のさらなる態様に従い、バルクコンテナのための脚部材が提供され、この脚部材は、バルクコンテナを支持するように適合されるリブのグリッドを含む細長い構造であって、これらのリブが互いに平行であるか、または交差している、この細長い下部構造、この細長い下部構造の周囲に沿い伸びるリム、およびリムから始まる実質的に垂直な壁部であって、この壁部が細長い下部構造の周囲沿いで、この周囲を囲んで伸び、この壁部が複数の別個の要素からなり、各要素が１つ以上の縦溝部に関して実質的に平らなパネルを含む、この実質的に垂直な壁部、を備え、リムは複数の溝部を含み、各溝部が縦溝部のうちの１つに対応し、これと連通する。
【００２２】
本考案は、好ましい実施形態の以下の非限定的な説明からより良く理解されることができる。
【図面の簡単な説明】
【００２３】
【図１】本考案の脚部材の底面斜視図である。
【図２】図１の脚部材の１つの端部の底面斜視図である。
【図３】図１の脚部材の１つの端部の上面斜視図である。
【図４】図１の脚部材の端面図である。
【図５】図１の脚部材の１つの端部の１つの側面の側面図である。
【図６】図１の脚部材の図５に示されるものと同一の端部の対向側面の側面図である。
【図７】図６の脚部材の線Ａ−Ａ沿いに取られる断面図である。
【図８】図１の脚部材の１つの側面の上面図である。
【図９】図８の脚部材の線Ｂ−Ｂ沿いに取られる断面図である。
【図１０】図９の脚部材の丸で囲まれた部分Ｃの拡大断面図である。
【図１１】図３の脚部材の丸で囲まれた部分Ｄの拡大斜視図である。
【図１２】図１の脚部材の垂直な壁部、およびバルクコンテナの基部の部分である平らな壁部の要素によって作製される開口上面空洞部を示す斜視図である。
【考案を実施するための形態】
【００２４】
本考案の脚部材はバルクコンテナの基部上に取り付けられるように設計され、構成されていることに留意するべきである。バルクコンテナは、対向する側面上にそれぞれ位置し、均衡のとれた支持を提供する２つの脚部材を一般的に必要とする。
【００２５】
図１から図３を参照して、バルクコンテナ（示されない）についての脚部材１０を示す。脚部材１０は、バルクコンテナを支持するように適合されるリブ１４および１６のグリッドを含む細長い下部構造１２を有する。リブ１４および１６は、互いに平行であるか、または交差している。図７、図９、および図１０に最もよく示されているように、各リブ１４、１６は、バルク容器の基部（示されない）に接触するように使用の際に適合される上面２０、上面２０よりも広い底面２２、ならびに上面２０および底面２２に接合する１組のテーパ状側面２４および２６を含む断面１８を有する。図７、図９および図１０に最もよく示されているように、各テーパ状側面２０、２２は、リブ１４、１６の底面２２に向かって湾曲して広がっている。各リブ１４、１６の底面２２は、図２に最もよく示されているように、各リブ１４、１６の長さ沿いに伸びるトレンチ３０の形態にある、くぼみ部２８を含む。
【００２６】
図１から図３に最もよく示されているように、リブ１４および１６は、十字パターンに伸びる。細長い下部構造１２は、クローズラックのために、その下側部３６に配置される１組の離隔された凹部３２および３４を含む。各凹部３２、３４は、細長い下部構造１２の１つの端部の近くに配置される。この実施形態では、細長い下部構造１２は、図１から図３および図８に示されているように、２つの補強部３８および４０をも含む。２つの補強部３８および４０のそれぞれは、「スケルトン」リブ１４および１６と交差する複数の追加のリブ４０および４２（例えば）を含む。補強部３８および４０は、それぞれの凹部３４および３２に対応し、その真上に配置される。
【００２７】
ここで図３および図７を参照して、細長い下部構造１２は、対向する第一および第二側壁部４４および４６を含み、平行なリブ４０および４２のそれぞれは、第一側壁部４４に接合される１つの端部、および第二側壁部４６に接合されるもう１つの端部を含む。図３および図７に最もよく示されているように、第一側壁部４４は、Ｒを設けた曲げ部４８と、丸みを帯びた縁部５２を含む段部５０とを含む輪郭を有する。段部５０は、細長い下部構造１２の内部に配置される第一棚部５４を形成する。第二側壁部４６は、細長い下部構造１２の内部に配置される第二棚部５８を提供するＲを設けた返し部５６を備える底端部を含む。
【００２８】
図３を参照して、脚部材１０は、細長い下部構造１２の周囲に沿って伸びるリム６０を含む。脚部材１０はまた、リム６０から延びる実質的に垂直な壁部６２を含む。壁部６２は、細長い下部構造１２の周囲に沿い、そしてこの周囲を囲むように伸び、複数の別個の要素６４および６６からなる。各要素６４、６６は、少なくとも１つの縦溝部７０を備える実質的に平らなパネル６８を含む。例えば、要素６４ａは、図３に示されているように、２つの縦溝部７０を含む。各要素６４、６６は、使用に際し、バルクコンテナの基部の部分を形成する下方向に吊設するスカート（示されない）の対応する部材に当接するように適合される。対応する部材は、平らな壁部７４（図１２を参照）の形態にある。図５および図６に最もよく示されているように、脚部１０の１つの側面に沿って配置される要素６６のそれぞれは、平らな壁部７４に設けられる対応するくぼみ構造と係合し、連結するために設けられる突出部７２をも含む。脚部１０がバルクコンテナの基部に取り付けられると、要素６４、６６のそれぞれがバルクコンテナの基部の下方向に吊設するスカートを形成する平らな壁部に当接することが理解されるであろう。このように、縦溝部７０と平らな壁部７４によって画定されている開口上面の細長い空洞部７６を作製する。バルクコンテナの洗浄中および洗浄後、空洞部７６は、水および洗浄液を閉じ込めて保持しやすく、これらの水および洗浄液は、通常、基部を介してバルクコンテナの内部に噴霧され、その後、開口上面７８を介して重力により空洞部７６中に下方向に入る。図３および図１１に最もよく示されているように、リム６０は、複数の溝部８０を含む。各溝部８０は、縦溝部７０のうちの１つに対応し、これと連通している。各溝部８０は、溝部８０に受容されるいかなる水または流体も排出することを促進するように下方向に傾斜している。
【００２９】
本考案の好ましい実施形態がある程度詳細に説明されたので、本考案の脚部材が少なくとも以下の利点を提示することができることが当業者には明らかであろう。
【００３０】
１．「ソール」を、使用に際し地面と接触する実質的にフレア状でより厚いリブと交換することによって脚部の簡単な洗浄を可能にし、洗浄スプレーが脚部の内部に到達した後、簡単に排水させることを可能にする「開口脚部」を作製しながら、従来の脚部と同様の強度を提供することを可能にする。
【００３１】
２．特に非常に高レベルの衛生要件を有するタンパク質産業などのある特定の産業について、ビンの洗浄中に従来の脚部を繰り返し取り外す必要がなくなる。
【００３２】
３．クローズラックを容易にする頑丈な補強部分を提供する。
【００３３】
４．脚部の内部にさらに流線型の棚部を提供することにより、いかなる水または洗浄液もより良く排水することを可能にする。
【００３４】
当業者は、本明細書に記載された本考案が具体的に記載されたもの以外の変形および修正を受けやすいことを理解するであろう。例えば、追加のリブの位置および数は、細長い構造１２の全体を通して変えることができる。すべてのそのような変形および修正は、本考案の範囲および趣旨内にあるとみなされ、その性質は、前述の説明から決定される。
【図１】
0003227846.tif 000003
【図２】
0003227846.tif 000004
【図３】
0003227846.tif 000005
【図４】
0003227846.tif 000006
【図５】
0003227846.tif 000007
【図６】
0003227846.tif 000008
【図７】
0003227846.tif 000009
【図８】
0003227846.tif 000010
【図９】
0003227846.tif 000011
【図１０】
0003227846.tif 000012
【図１１】
0003227846.tif 000013
【図１２】
0003227846.tif 000014
【手続補正書】
【提出日】令和2年6月16日(2020.6.16)
【手続補正１】
【補正対象書類名】実用新案登録請求の範囲
【補正対象項目名】全文
【補正方法】変更
【補正の内容】
【実用新案登録請求の範囲】
【請求項１】
バルクコンテナ用の脚部材であって、
前記バルクコンテナを支持するように適合されたリブの格子を有する細長い下部構造を含み、
前記リブは互いに平行になっているか、または互いに交差しており、各リブが使用時に前記バルクコンテナの基部と接触するように適合した上部、前記上部より幅が広くなっている底部、及び前記上部と前記底部とを接合する一対のテーパー状側部を備える断面を有している、バルクコンテナ用脚部材。
【請求項２】
前記バルクコンテナの基部に取り外し可能に装着可能である、請求項１に記載のバルクコンテナ用脚部材。
【請求項３】
前記テーパー状側部のそれぞれが、各リブの前記底部に向かって湾曲して広がっている、請求項１または２に記載のバルクコンテナ用脚部材。
【請求項４】
前記底部がくぼみを含む、請求項１から３のいずれか１項に記載のバルクコンテナ用脚部材。
【請求項５】
前記くぼみが各リブの長さに沿って延びる深溝の形態である、請求項４に記載のバルクコンテナ用脚部材。
【請求項６】
前記リブが十字形パターンで延びる、請求項１から５のいずれか１項に記載のバルクコンテナ用脚部材。
【請求項７】
前記細長い下部構造が、その下側に位置したビームラッキング用の一対の間隔を空けた凹部を含む、請求項１から６のいずれか１項に記載のバルクコンテナ用脚部材。
【請求項８】
各凹部が前記細長い下部構造の一方の端部の付近に配置されている、請求項７に記載のバルクコンテナ用脚部材。
【請求項９】
前記細長い下部構造が１つ以上の補強部分を含み、前記１つ以上の補強部分のそれぞれが、前記リブと交差する１つ以上の追加のリブを有する、請求項７または８のいずれか１項に記載のバルクコンテナ用脚部材。
【請求項１０】
前記補強部分がそれぞれの凹部に対応するように適合されている、請求項９に記載のバルクコンテナ用脚部材。
【請求項１１】
前記補強部分が前記凹部の真上に位置する、請求項９または１０のいずれか１項に記載のバルクコンテナ用脚部材。
【請求項１２】
前記細長い下部構造が対向する第１及び第２の側壁を含み、前記平行リブのそれぞれが前記第１の側壁に接合された一方の端部、及び前記第２の側壁に接合された他方の端部を有する、請求項１から１１のいずれか１項に記載のバルクコンテナ用脚部材。
【請求項１３】
前記第１の側壁が丸みを帯びた曲げ部及び丸い縁部を有する段差を有する輪郭を含む、請求項１２に記載のバルクコンテナ用脚部材。
【請求項１４】
前記段差が前記細長い下部構造の内側に位置する第１のレッジを形成する、請求項１３に記載のバルクコンテナ用脚部材。
【請求項１５】
前記第２の側壁が丸みを帯びた屈曲部を備える下端を含む、請求項１２〜１４に記載のバルクコンテナ用脚部材。
【請求項１６】
前記丸みを帯びた屈曲部が前記細長い下部構造の内側に位置する第２のレッジを提供する、請求項１５に記載のバルクコンテナ用脚部材。
【請求項１７】
前記細長い下部構造の周囲に沿って延びるリムを含む、請求項１から１６のいずれか１項に記載のバルクコンテナ用脚部材。
【請求項１８】
前記リムから延びる実質的に垂直な壁を含み、前記壁が前記細長い下部構造の周囲に沿って、その周りに延びる、請求項１７に記載のバルクコンテナ用脚部材。
【請求項１９】
前記壁が複数の別個の要素で構成され、各要素が使用時に、前記バルクコンテナの基部の一部を形成する下方に垂れ下がったスカートの対応する部材に当接するように適合されている、請求項１８に記載のバルクコンテナ用脚部材。
【請求項２０】
各要素が１つ以上の細い溝を備えた実質的に平坦なパネルを含む、請求項１９に記載のバルクコンテナ用脚部材。
【請求項２１】
前記リムが複数の溝を含み、各溝が前記細い溝の1つに対応して連通している、請求項２０に記載のバルクコンテナ用脚部材。
【請求項２２】
各溝が下方に傾斜して、前記溝内に受け入れた流体の排出を促進するようになっている、請求項２１に記載のバルクコンテナ用脚部材。
【請求項２３】
バルクコンテナ用の脚部材であって、
前記バルクコンテナを支持するように適合されたリブの格子であって、リブが互いに平行になっているか、または交差している前記リブの格子と、
その下側に位置する一対の間隔を空けた凹部と
を有する細長い下部構造を含む、バルクコンテナ用脚部材。
【請求項２４】
バルクコンテナ用の脚部材であって、
前記バルクコンテナを支持するように適合されたリブの格子であって、前記リブが互いに平行になっているか、または交差している前記リブの格子と、
1つ以上の補強セクションであって、それぞれがリブと交差する1つ以上の追加のリブを有する補強セクションと
を有する細長い構造を含む、バルクコンテナ用脚部材。
【請求項２５】
バルクコンテナ用の脚部材であって、
前記バルクコンテナを支持するように適合されたリブの格子であって、前記リブが互いに平行になっているか、または交差している前記リブの格子と、
対向する第１及び第２の側壁であって、前記平行なリブのそれぞれが前記第１の側壁に接合された一方の端部、及び前記第２の側壁に接合された他方の端部を有する対向する第１及び第２の側壁と、
を有する細長い下部構造を含み、
対向する第１及び第２の側壁のそれぞれが、丸みを帯びた曲げ部または屈曲部を有する輪郭を有するバルクコンテナ用脚部材。
【請求項２６】
バルクコンテナ用の脚部材であって
前記バルクコンテナを支持するように適合されたリブの格子を有する細長い下部構造であって、前記リブが互いに平行になっている、前記細長い下部構造と、
前記細長い下部構造の周囲に沿って延びるリムと、
前記リムから延びる実質的に垂直な壁であって、前記壁は前記細長い下部構造の周囲に沿って、その周りに延在しており、前記壁は複数の別個の要素で構成され、各要素が１つ以上の細い溝を備えた実質的に平坦なパネルを含む、前記壁と
を含み、
前記リムは複数の溝を含み、各溝が細い溝の１つに対応し、連通している、バルクコンテナ用脚部材。